(57)【要約】      （修正有）【課題】立体物もしくはシート状および板状等に対して発光もしくは蛍光等の機能と金属調の装飾機能を複合的に形成し、両者の機能を同時に付与する部分透過光機能層構成体を提供する。【解決手段】光を発する機能を有する層１２０もしくは部材等または蓄光機能を有する層もしくは部材等または蛍光機能を有する層もしくは部材等を形成した上部にメッキ、スパッタ、蒸着等の技術により光を部分的に透過する程度の薄い膜１３０を形成する。もしくは印刷等の技術により極めて微細なパターンを形成することにより部分的に光を透過する機能を有する層１３０を形成して複合的に両者の機能をを同時に付与する。【選択図】図１
0003166315.tif 000002
【実用新案登録請求の範囲】
【請求項１】
基材表面部に光を発生する機能を持つ層すなわち発光する層を有し，該光を発生する層の上部に部分的に光を透過する機能を形成した，部分透過光機能層構成体．
【請求項２】
基材表面部に光を発生する機能を持つ層として蛍光機能を有する層を形成したことを特徴とし，該蛍光機能を持つ層の上部に部分的に光を透過する機能を有する層を形成した，部分透過光機能層構成体．
【請求項３】
基材表面部に光を発生する機能を持つ層として燐光機能もしくは蓄光機能を有する層を形成したことを特徴とし，該燐光機能もしくは蓄光機能を持つ層の上部に部分的に光を透過する機能を有する層を形成した，部分透過光機能層構成体．
【請求項４】
基材表面部に光を発生する機能を持つ層として光透過性の導光材料と光源を持ち，該光を発生する機能を持つ層の上部に部分的に光を透過する機能を有する層を形成した，部分透過光機能層構成体．
【請求項５】
光を発生する機能を有する層の上部に形成した部分的に光を透過する機能を有する層として化学銀メッキにより形成した部分透過光機能層であることを特徴とする，請求項１から４に示される部分透過光機能層構成体．
【請求項６】
光を発生する機能を有する層の上部に形成した部分的に光を透過する機能を有する層として，パターンを構成したことにより光の透過率を制御したことを特徴とする部分透過光機能層を形成した，請求項１から５に示される部分透過光機能層構成体．
【考案の詳細な説明】
【技術分野】
【０００１】  本考案は，発光する部材，例えば蛍光，燐光，蓄光機能を有する材料に部分的に光を透過する機能を有する層を設けた部分光透過機能層構成体に係り，特にエンブレム，マーク，文字看板，表示体，指示体，マーキング体，ルアー，キーホルダーなどに用いられる部分光透過機能をもつ材料に関する．
【背景技術】
【０００２】  様々な商品において光を発する機能を有するのもが多数開発され，使用されている．これらは，光を発する機能により高級感や高機能感，または暗い場所で探しやすいなどのマーカー性や，暗いところで発見されやすいなどの安全性などの機能性，発光による意匠性などの商品特性を付与するものである．また，古くから夜光性の機能を利用した物として，時計の文字盤や釣りの浮きやルアーなどの商品類がある．これらは特に夜間において発光する事がきわめて重要な機能として利用されてきた．【０００３】  様々な商品において金属調の表面装飾について多数用いられている．これらは，金属調の色調や見栄えなどの装飾により高級感や高機能感，導電比などの様々な機能などを付与された商品としての特性をもつ．多くの金属調装飾，例えばメッキ等は商品特性の向上に多く用いられており，主要な技術として広範囲に用いられている．【０００４】  近年，多くの商品類に発光機能もしくは金属調装飾が施され，これらの発光機能や金属調装飾機能による商品特性の向上効果が薄れてきた現状がある．しかし，新たな商品特性の付与などの機能性特性は，多くの開発努力が傾けられているのも関わらず困難であり優れたものがないのが現状である．【０００５】  しかしながら，近年の商品開発においてきわめて多くの様々な商品類が開発されるが，その多くは短い期間において消えていくのが現状である．それぞれの商品類において，他社との差別化をはかるため，さまざまな装飾機能が求められており，前記のように発光する機能や，金属調装飾機能はこれらの装飾機能として大きな地位を占めるものであることがよく知れている．【０００６】  発光機能や金属調装飾機能などはもはや他社との差別化機能として技術的な優位性をもった特殊な装飾としての機能を失いつつあるのが現状である．
【考案の開示】
【考案が解決しようとする課題】
【０００７】  きわめて多数の開発された商品類に対して，他社類似商品類との差別化を効果的に行うために多くの商品類に対する装飾機能を付与するための様々な技術が開発されている．
光を発する機能を付与する商品装飾機能が開発され，多くの商品類に使用されている．これらは，光を発する機能により高級感や高機能感，または暗い場所で探しやすいなどのマーカー性や，暗いところで発見されやすいなどの安全性などの機能性，発光による意匠性などの商品特性を付与するものである．また，古くから夜光性の機能を利用した物として，時計の文字盤や釣りの浮きやルアーなどの商品類がある．これらは特に夜間において発光する事がきわめて重要な機能として利用されてきた．【０００８】  金属調の表面装飾についてよく知られた技術としてメッキ技術がある．これらは，金属調の色調や見栄えなどの装飾により高級感や高機能感，導電性などの様々な機能などを付与することができる特性をもち，商品の高機能化を可能とする．多くの金属調装飾，例えばメッキ等は商品特性の向上に多く用いられており，主要な技術として広範囲に用いられている．【０００９】  前記のように多くの商品類に発光機能や金属調装飾機能が付与され，多くの商品類として販売されている．しかしこれらの装飾機能や発光機能などは多くの商品類において他社との明確な差別化をもたらすにはあまりに汎用的な技術となってしまった．これらの機能性や装飾性を付与したのみでは，自己の商品を他社類似商品に対して差別化するには不十分な状況となっているのが現状である．【００１０】  本考案は，以上の状況に鑑みて考案されたものであり，きわめて多数の類似商品類が販売される近年の市場において，他社類似商品に対して差別化を可能とする優れた機能もしくは装飾性を付与する技術を提供するものである．
【課題を解決するための手段】
【００１１】  本考案は，以上の目的を達成するために，基材表面部に光を発生する機能を持つ層すなわち発光する層，もしくは光を発生する機能を有する部材の上部に，部分的に光を透過する機能，すなわちハーフミラー機能を有する層を形成したことを特徴とする部分透過光機能層構成体を提供する．本考案は，該光を発生する部分と部分的に光を透過させる機能を有する層を組み合わせたことにより前記の課題を解決するものである．【００１２】  請求項１に記載される考案は，基材表面部に光を発生する機能を持つ層すなわち発光する層を有し，該光を発生する層の上部に部分的に光を透過する機能，すなわちハーフミラー機能を有する層を形成したことを特徴とする部分透過光機能層構成体を形成したものを提供するものであり，前記の課題を解決するものである．【００１３】  請求項２に記載される考案は，基材表面部に光を発生する機能を持つ層として蛍光機能を有する層を形成したことを特徴とし，該蛍光機能を持つ層の上部に部分的に光を透過する機能を有する層を形成した，部分透過光機能層構成体を提供するものであり，前記の課題を解決するものである．【００１４】  請求項３に記載されている考案は，基材表面部に光を発生する機能を持つ層として燐光機能もしくは蓄光機能を有する層を形成したことを特徴とし，該燐光機能もしくは蓄光機能を持つ層の上部に部分的に光を透過する機能を有する層を形成した，部分透過光機能層構成体を提供するものであり，前記の課題を解決するものである．【００１５】  請求項４に記載されている考案は，基材表面部に光を発生する機能を持つ層として光透過性の導光材料と光源を持ち，該光を発生する機能を持つ層の上部に部分的に光を透過する機能を有する層を形成した，部分透過光機能層構成体を提供するものであり，前記の課題を解決するものである．【００１６】  請求項５に記載されている考案は，光を発生する機能を有する層の上部に形成した部分的に光を透過する機能を有する層として化学銀メッキにより形成した部分透過光機能層であることを特徴とする，請求項１から４に示される部分透過光機能層構成体を提供するものであり，前記の課題を解決するものである．【００１７】  請求項６に記載されている考案は，光を発生する機能を有する層の上部に形成した部分的に光を透過する機能を有する層として，微細パターンを構成したことにより光の透過率を制御したことを特徴とする部分透過光機能層を形成した，請求項１から５に示される部分透過光機能層構成体を提供するものであり，前記の課題を解決するものである．【００１８】  本考案により，従来の光を発生する機能を有する装飾機能と，金属調を有する装飾機能を併せ持つ全く新たな表面形成技術を提供するものであり，本考案により形成された，光を発生する機能と金属調を有する装飾機能を複合的に形成することによる，両者の機能を複合的に発揮させる高機能装飾を提供可能とするものである．
【考案の効果】
【００１９】  本考案により，光を発生する機能を付与した従来の機能と，金属調の装飾を付与した従来の機能を複合的に組み合わせて全く新たな新規機能を構築することが可能となる．すなわち，暗い場所においては発光機能や蓄光機能や蛍光機能を利用して，商品特注の高機能化を図り，明るい場所においては金属調の装飾機能を発揮して高級感と高機能感を利用することができる．
これらの光を発生する機能と金属調の装飾機能を複合的に構築したことにより，他社類似商品に対して差別化を可能として商品特注の向上を可能とする効果を得ることができる．
【考案を実施するための最良の形態】
【実施例１】
【００２０】  以下，添付の図面を参照して，この考案の最良の実施の形態を詳細に説明する．図１は本考案の一実施形態に係わる光を発生する機能を有する層と光を部分的に透過する機能を有する層を積層体として構築した一例を示すものであり，本考案の部分光透過機能層構成体の層構成を示す説明図である．
本考案による部分光透過機能層構成体１００は，図１に示すように基材１１０の表面部分に光を発生する機能を有する層１２０を形成したものであり，さらに光を発生する機能を有する層１２０の上部に光を部分的に透過する機能を有する層１３０を形成したものである．【００２１】  本実施の例として，基材１１０としてＡＢＳ製の方形体を用いた．光を発生する機能を有する層１２０として，Ｎ夜光蓄光インキ（帝国インキ製造株式会社製）を用いてスプレー法にて複数回の塗工処理を行った．光を発生する機能を有する層１２０は，概ね５０μｍの厚さに形成した．この上部に，光を部分的に透過する機能を有する層１３０として，ＭＦＳ金属薄膜塗工技術（株式会社表面化工研究所製）を用いて光透過率約５０％の機能層を形成した．【００２２】  本考案による部分光透過機能層構成体１００は，周囲部分が明るい状況では上部に形成されたＭＦＳによる金属薄膜の金属調装飾による金属調が観察されて，高級感や高機能感を発揮する．また，周囲部分が暗い状況では，光を発生する機能を有する層１２０による発光によって光を発生することによる機能を発揮する．このため，暗い場所では発光体として目視できる．
本考案において，光を発生させる機能を有する層１２０の厚さや，光を部分的に透過する機能を有する層１３０の光透過率などの特性値はそれぞれの実施例において最適に設計されるものであり，これらの特性的値により本考案が制限されるものではない．このように制限を受けない状況は以後の各実施例においても同様である．【００２３】  本考案において，図１における光を発生する機能を有する層１２０として蓄光機能を有する層を形成すれば，電源等を要しないで長時間にわたって光を発生する機能を発揮させることが可能である．また，図１における光を発生する機能を有する層１２０として，蛍光機能を有する層を形成すればブラックライト等による照射に反応して，光を発生する機能を発揮させることが可能となる．図１における光を発生する機能を有する層１２０を形成する代わりに，基材１１０に光を発生する機能を持たせることもまた可能である．図１における光を発生する機能を有する層１２０を省略して光を発生させる機能を有する基材１６０と光を部分的に透過する機能を有する層１３０を形成した構成１５０を図２に示す．図２のように構成することにより，光を発生させる機能を有する基材１６０を用いて，本考案の効果である複合的な高機能装飾機能を付与することも可能である．【００２４】  図２に示した光を発生させる機能を有する基材１６０として，蛍光ランプや電球や発光ダイオードやＥＬ等の発光機能を有する部材を用いることもまた可能である．本考案は，光を発生させる機能を有する層１２０や光を発生させる機能を有する基材１６０などを構成する技術に依存するものではなく，光を発生させる機能を有する層１２０や光を発生させる機能を有する基材１６０などによって発生した光を，光を部分的に透過させる機能を有する層１３０と組み合わせることにより新たな機能として構築するものである．
また，光を部分的に透過する機能を有する層１３０の上部にさらに保護層等の機能を有する層を形成することも可能であり，これらの付加的な機能について本考案の部分光透過機能層構成体１００が制限を受けることは無い．このように制限を受けない状況は以後の各実施例においても同様である．
【実施例２】
【００２５】  図３に本考案による部分光透過機能層構成体１００を立体物の表面に形成した一例を示し，本考案の最良の実施形態の一例として例示する．図３には，部分光透過機能層構成体１００を商品類のエンブレムマーク２００の表面に形成した例を一例として示す．
図３に部分光透過機能層構成体１００を形成したエンブレムマーク２００を示す．本マークは貝殻形状のものであり，本実施例において，光を発生する機能を有する層１２０として，Ｎ夜光蓄光インキ（帝国インキ製造株式会社製）を用いてスプレー法にて複数回の塗工処理を行って形成した．光を発生する機能を有する層１２０は，概ね５０μｍの厚さに形成した．この上部に，光を部分的に透過する機能を有する層１３０として，ＭＦＳ金属薄膜塗工技術（株式会社表面化工研究所製）を用いて光透過率約５０％の機能層を形成した．さらにクリアラッカーにより保護機能層を形成した．図３におけるａ−ｂ部分の断面は，図１に示した構造であり，基材１１０に積層して光を発生する機能を有する層１２０，光を部分的に透過する機能を有する層１３０が形成されている．【００２６】  本実施例はアクリル樹脂により形成したエンブレムマーク２１０に部分光透過機能層構成体１００を形成したものであり，エンブレムマーク２００は暗い状況では蓄光機能により発光機能を示すことにより非常に高い視認機能を発揮するものであり，エンブレムマークの基本的機能である高い認識性を発揮する．また，本エンブレムマーク２００は，明るい状況では金属調の装飾性を発揮して高級感と高機能感を発揮する．
本考案によって，エンブレムマークは暗い状況における高い認識性と，明るい状況における高級感とをあわせて発揮する優れた機能を示す．
【実施例３】
【００２７】  図４に本考案による部分光透過機能層構成体１００を立体物の表面に形成した一例を示し，本考案の最良の実施形態の一例として例示する．図４には，部分光透過機能層構成体１００を釣りに利用されるルアー３００（フォーレスト製ＦｉｒｓｔＭｉｏシリーズ）の表面に形成した例を一例として示す．
図４に示した部分光透過機能層構成体１００を形成したルアー３００を示す．本実施例において，光を発生する機能を有する層１２０として，Ｎ夜光蓄光インキ（帝国インキ製造株式会社製）を用いてスプレー法にて複数回の塗工処理を行って形成した．光を発生する機能を有する層１２０は，概ね５０μｍの厚さに形成した．この上部に，光を部分的に透過する機能を有する層１３０として，ＭＦＳ金属薄膜塗工技術（株式会社表面化工研究所製）を用いて光透過率約５０％の機能層を形成した．また，ルアーの保護用として一般的なクリアラッカーを塗装し保護機能を向上させた．【００２８】  本実施例はプラスチックにより構成したルアー３１０に部分光透過機能層構成体１００を形成したものであり，ルアー３００は暗い状況では蓄光機能により発光機能を示すことにより非常に高い視認機能を発揮して魚類を引きつける機能を発揮する．この機能により，釣りの釣果を増大する効果を発揮するものである．また，本ルアー３００は，明るい状況では金属調の装飾性を発揮して高級感と高機能感を発揮する．本ルアーは，釣りに使用しない状況では展示等の利用も可能であり，また釣果とあわせて展示等を行うことも可能である．
本考案によって，ルアーは実際の使用における魚類を引きつける機能と，明るい状況における高級感とをあわせて発揮する優れた機能を示す．
【実施例４】
【００２９】  図５に本考案による部分光透過機能層構成体１００を立体物の表面に形成した一例を示し，本考案の最良の実施形態の一例として例示する．図５には，部分光透過機能層構成体１００を自動車の内装材に応用した例を一例として示す．
図５に示した部分光透過機能層構成体１００を形成した内装材４００を示す．本実施例において，光を発生する機能を有する層１２０として，Ｎ夜光蓄光インキ（帝国インキ製造株式会社製）を用いてスプレー法にて複数回の塗工処理を行って形成した．光を発生する機能を有する層１２０は，概ね５０μｍの厚さに形成した．この上部に，光を部分的に透過する機能を有する層１３０として，ＭＦＳ金属薄膜塗工技術（株式会社表面化工研究所製）を用いて光透過率約５０％の機能層を形成した．また，保護のためにクリアラッカーを塗装し，保護機能を向上させた．【００３０】  本実施例はプラスチックにより成形したドアノブ４１０に部分光透過機能層構成体１００を形成したものであり，ドアノブ４００は暗い状況では蓄光機能により発光機能を示すことにより非常に高い視認機能を発揮してドアの開閉を容易にする機能を発揮する．この機能により，照明等の無い状況においてドアを安全確実に開閉することが可能となるものである．例えば，事故等の電源の失われた状況において，安全確実にドアノブの存在を視認させることが可能となる．また，本ドアノブ４００は，昼間の明るい状況では金属調の装飾注を発揮して高級感と高機能感を発揮する．このように，通常に状態では金属調の部品としての機能を発揮し，緊急時には安全性を向上させる複合的機能を保有するのである．
【実施例５】
【００３１】  図６に本考案による部分光透過機能層構成体１００を立体物の表面に形成した一例を示し，本考案の最良の実施形態の一例として例示する．図６には，部分光透過機能層構成体１００をカッティングシート基材５１０の表面に形成した例を一例として示す．
図６に示した部分光透過機能層構成体１００を形成したカッティングシート５００の構成を示す．本実施例において，光を発生する機能を有する層１２０として，Ｎ夜光蓄光インキ（帝国インキ製造株式会社製）を用いてスクリーン法にて３回の重ね塗工処理を行って形成した．光を発生する機能を有する層１２０は，概ね７０μｍの厚さに形成した．この上部に，光を部分的に透過する機能を有する層１３０として，ＭＦＳ金属薄膜塗工技術（株式会社表面化工研究所製）を用いて光透過率約５０％の機能層を形成した．【００３２】  本実施例は塩化ビニール等のプラスチックシートに部分光透過機能層１００を成形したカッティングシート５００であり，カッティングシート５００は暗い状況では蓄光機能により発光機能を示すことにより非常に高い視認機能を発揮し，カッティング処理された形状を極めて大きな視認性をもって表示するものである．また，本カッティングシート５００は，明るい状況では金属調の装飾性を発揮して，そのカッティング処理された形状について金属調の表面を有する高級感と高機能感をもって表示する．【００３３】  本考案による最良の実施形態を例示したが，本考案の基本的な機能は光を発生させることによる機能と，金属調の装飾による機能をあわせて発揮させることによる複合的な機能を構築するものであり，光を発生させる機能を実現するための材料等によりなんらの制限されるものではない．本考案には，光を発生させる機能を有する材料として，たとえば蓄光機能を発揮する材料や蛍光機能を有する材料などのあらゆるものを利用することが可能であり，材料により何ら制限されるものではない．また，光を発生する機能を有する基材として例えば発光ダイオードを利用した基材や，ＥＬ等を利用した基材などのあらゆるものを利用することが可能である．【００３４】  本考案には，部分的に光を透過する機能を有する材料としてあらゆるものを利用することが可能であり，例えば金属調の薄膜を構成する様々な技術を利用することが可能である．一般に利用されるスパッタや蒸着などにより金属調もしくは様々な色調や機能膜を構成するあらゆる技術を利用することが可能である．化学的な金属膜形成技術であるメッキなどの技術によるいわゆるハーフミラー等を利用することも可能であり，また極めて微細なパターン等を形成したことによる部分的な光透過機能を用いることも可能である．本考案における金属調装飾は，あらゆる高級感を付与する装飾類を用いることが可能であり，材料等および形成技術や印刷等の技術により制限されるものではない．
【産業上の利用の可能性】
【００３５】  本考案は光を発生させる機能を有する部材を構成することによる装飾や，認識性を向上させる機能と，金属調やその他の表面装飾を施すことによる高級感や高機能感等の装飾性を複合的に構成して複合的に機能を発揮させるものであり，多くの商品類における他社類似商品に対する優位性や差別化を可能とするものである．本考案は，きわめて広い産業分野における商品類に広く利用することが可能であり，産業的に広く利用されるものである．
【図面の簡単な説明】
【００３６】
【図１】本考案の一実施形態に係わる光を発生する機能を有する層と光を部分的に透過する機能を有する層を積層体として構築した部分光透過機能層構成体を説明する説明図である．
【図２】本考案の別の一実施形態に係わる光を発生する機能を有する基材と光を部分的に透過する機能を有する層を用いて構築した部分光透過機能層構成体を説明する説明図である．
【図３】本考案の別の一実施形態に係わる部分光透過機能層構成体を立体物の表面に形成した一例を説明する説明図である．
【図４】本考案の別の一実施形態に係わる部分光透過機能層構成体を立体物の表面に形成した一例を説明する説明図である．
【図５】本考案の別の一実施形態に係わる部分光透過機能層構成体を立体物の表面に形成した一例を説明する説明図であり，立体物として自動車の内装材を示すものである．
【図６】本考案の別の一実施形態に係わる部分光透過機能層構成体をシート状の表面に形成した一例を説明する説明図であり，シートはカッティングシートとして用いられる．
【符号の説明】
【００３７】１００  部分光透過機能層構成体
１１０  基材
１２０  光を発生する機能を有する層
１３０  光を部分的に透過する機能を有する層
１５０  部分光透過機能層構成体
１６０  光を発生する機能を有する基材
２００  部分光透過機能層構成体１００を形成した商品類のエンブレムマーク
２１０  エンブレムマーク
３００  部分光透過機能層構成体１００を形成したルアー
３１０  ルアー
４００  部分光透過機能層構成体１００を形成した自動車内装材
４１０  ドアノブ
５００  部分光透過機能層構成体１００を形成したカッティングシート
５１０  カッティングシート基材
【図１】
0003166315.tif 000003
【図２】
0003166315.tif 000004
【図３】
0003166315.tif 000005
【図４】
0003166315.tif 000006
【図５】
0003166315.tif 000007
【図６】
0003166315.tif 000008
【手続補正書】
【提出日】平成22年11月8日(2010.11.8)
【手続補正１】
【補正対象書類名】実用新案登録請求の範囲
【補正対象項目名】請求項１
【補正方法】変更
【補正の内容】
【請求項１】
基材表面部に光を発生する機能を持つ層すなわち発光する層を有し，該光を発生する層の上部に部分的に光を透過する機能を有する層を形成した，部分透過光機能層構成体。